(57)【特許請求の範囲】
【請求項１】
工場等の建屋内や敷地等を照らす大型のＬＥＤ照明灯であって、
多数のＬＥＤランプが実装された円板状の基板と、この基板が取り付けられた放熱部と、この放熱部に取り付けられた筒状のケース部と、このケース部に設けられて、交流電源のソケットに装着される口金部と、前記ケース部内に設けられて、前記口金部と前記基板に電気的に接続されたコンバータとを備え、
前記ＬＥＤランプは、前記基板に固定されるパッケージと、このパッケージ内に装填されたＬＥＤチップと、を備え、前記パッケージには、前記ＬＥＤチップから放出される光を集光して拡散する拡散レンズ部が設けられており、
前記ケース部は、その長さが、前記放熱部の長さと略等しく、かつ前記口金部を除くＬＥＤ照明灯全体の長さの半分程度に設定され、
前記ケース部の外周部には、当該ケース部の軸方向に沿って長尺に形成され、かつ前記ケース部の内部に設けられているコンバータで生じる熱を外部に放出する放出スリットがケース部の周方向に所定間隔で複数設けられており、
前記多数のＬＥＤランプは、前記基板に対し、当該基板の中央部から周縁部にかけて三段階に分かれて放射状に、かつ円状および円環状を模るように集合して配置され、
三段階に分かれた多数のＬＥＤランプの集合体同士の間は、少なくとも一つのＬＥＤランプ分の隙間を空けて配置されていることを特徴とするＬＥＤ照明灯。
【請求項２】
工場等の建屋内や敷地等を照らす大型のＬＥＤ照明灯であって、
多数のＬＥＤランプが実装された円板状の基板と、この基板が取り付けられた放熱部と、この放熱部に取り付けられた防水仕様の筒状のケース部と、このケース部に設けられて前記基板に電気的に接続されるコンバータと、前記コンバータを交流電源に接続する接続ケーブルとを備え、
前記ＬＥＤランプは、前記基板に固定されるパッケージと、このパッケージ内に装填されたＬＥＤチップと、を備え、前記パッケージには、前記ＬＥＤチップから放出される光を集光して拡散する拡散レンズ部が設けられており、
前記ケース部は、その長さが、前記放熱部の長さと略等しく、かつＬＥＤ照明灯全体の長さの半分程度に設定されており、
前記ケース部の外周部には、当該ケース部の軸方向に沿って長尺に形成され、かつ前記ケース部の内部に設けられているコンバータで生じる熱を外部に放出する放出スリットがケース部の周方向に所定間隔で複数設けられており、
前記多数のＬＥＤランプは、前記基板に対し、当該基板の中央部から周縁部にかけて三段階に分かれて放射状に、かつ円状および円環状を模るように集合して配置され、
三段階に分かれた多数のＬＥＤランプの集合体同士の間は、少なくとも一つのＬＥＤランプ分の隙間を空けて配置されていることを特徴とするＬＥＤ照明灯。
【請求項３】
請求項２に記載のＬＥＤ照明灯において、
前記ケース部に脚架が取り付けられていることを特徴とするＬＥＤ照明灯。
【請求項４】
請求項１〜３のいずれか一項に記載のＬＥＤ照明灯において、
前記放熱部は、前記基板が装着される台座部と、この台座部の周囲に、周方向に所定間隔で設けられた複数の放熱板とを備えていることを特徴とするＬＥＤ照明灯。
【請求項５】
請求項４に記載のＬＥＤ照明灯において
前記放熱部の基端部にリング状のプレートが設けられ、このプレートに前記放熱板の基端部が固定され、
前記台座部に前記放熱板の先端部が固定されていることを特徴とするＬＥＤ照明灯。
【発明の詳細な説明】
【技術分野】
【０００１】
本発明は、屋外や工場内等の比較的広い範囲を照らす比較的大型のＬＥＤ照明灯に関する。
【背景技術】
【０００２】
上記のようなＬＥＤ照明灯の一例として、特許文献１に記載のものが知られている。このＬＥＤ照明灯は、ＬＥＤランプを光源として屋内或いは屋外の照明灯として機能し、ＬＥＤランプがＬＥＤ配設基板上に所定方向に複数設けられ、全体としてＬＥＤランプは略中央に穴が開いたドーナツ形に配設され、円の中心部分には配置されていない。ＬＥＤランプが配設されている間隔は略等間隔である。
また、比較的狭い範囲を照らす小型ＬＥＤ照明としては、特許文献２〜１０に記載のものが知られている。
【先行技術文献】
【特許文献】
【０００３】
【特許文献１】特開２００１−２５６８０５号公報
【特許文献２】特開２００５−９３０９７号公報
【特許文献３】特開２００６−４０７２７号公報
【特許文献４】特開２００８−１８６７５８号公報
【特許文献５】特開２００９−４１３０号公報
【特許文献６】特開２００９−２１２６４号公報
【特許文献７】実用新案登録３１１２７９４号公報
【特許文献８】実用新案登録３１３３５８６号公報
【特許文献９】実用新案登録３１５１４９７号公報
【特許文献１０】実用新案登録３１５２２３４号公報
【発明の概要】
【発明が解決しようとする課題】
【０００４】
上記のようなＬＥＤ照明灯は、白熱灯や蛍光灯を用いた照明灯に比して発生熱量を抑制することができるものの、光量を多くするために、ＬＥＤランプの数を増加させたり、ＬＥＤランプに流す電流を増大させると、発生熱量が大きくなり、ＬＥＤ照明灯の寿命を低下させることになる。
また、ＬＥＤランプから放出される光によって比較的広い範囲を照らす場合、ＬＥＤランプの数を増やすとともに、ＬＥＤランプの配置間隔を大きくするなどの手段を講じる必要があり、ＬＥＤ照明灯の消費電力増加や大型化を招くことになる。
【０００５】
本発明は上記事情に鑑みてなされたもので、ＬＥＤ照明灯の消費電力増加や大型化を招くことなく、広い範囲を照らすことができるとともに、効果的に放熱できるＬＥＤ照明灯を提供することを課題としている。
【課題を解決するための手段】
【０００６】
上記課題を解決するために、請求項１に記載の発明は、例えば図１〜図８に示すように、工場等の建屋内や敷地等を照らす大型のＬＥＤ照明灯であって、
多数のＬＥＤランプ１が実装された円板状の基板２と、この基板２が取り付けられた放熱部３と、この放熱部３に取り付けられた筒状のケース部４と、このケース部４に設けられて、交流電源のソケットに装着される口金部５と、前記ケース部４内に設けられて、前記口金部５と前記基板２に電気的に接続されたコンバータ６とを備え、
前記ＬＥＤランプ１は、前記基板に固定されるパッケージ１ａと、このパッケージ１ａ内に装填されたＬＥＤチップ１ｂと、を備え、前記パッケージ１ａには、前記ＬＥＤチップ１ｂから放出される光を集光して拡散する拡散レンズ部１ｄが設けられており、
前記ケース部４は、その長さが、前記放熱部３の長さと略等しく、かつ前記口金部５を除くＬＥＤ照明灯全体の長さの半分程度に設定され、
前記ケース部４の外周部には、当該ケース部４の軸方向に沿って長尺に形成され、かつ前記ケース部４の内部に設けられているコンバータ６で生じる熱を外部に放出する放出スリット２０がケース部４の周方向に所定間隔で複数設けられており、
前記多数のＬＥＤランプ１は、前記基板２に対し、当該基板２の中央部から周縁部にかけて三段階に分かれて放射状に、かつ円状および円環状を模るように集合して配置され、
三段階に分かれた多数のＬＥＤランプ１の集合体同士の間は、少なくとも一つのＬＥＤランプ１分の隙間を空けて配置されていることを特徴とする。
【０００７】
請求項１に記載の発明によれば、基板２に実装された多数のＬＥＤランプ１に、このＬＥＤランプ１から放出される光を拡散する拡散レンズ部１ｄが設けられているので、ＬＥＤ照明灯の消費電力増加や大型化を招くことなく広い範囲を照らすことができる。
また、多数のＬＥＤランプ１が実装された基板２が放熱部３に取り付けられているので、ＬＥＤランプ１で発生した熱を基板２を介して放熱部３から外部に効果的に放熱できる。
【０００９】
また、コンバータ６で生じる熱は放出スリット２０から放出されるので、ケース部４内に熱が篭ることがなく、よって、コンバータ６の熱による劣化や故障を防止できる。
【００１０】
請求項２に記載の発明は、工場等の建屋内や敷地等を照らす大型のＬＥＤ照明灯であって、
多数のＬＥＤランプ１が実装された円板状の基板２と、この基板２が取り付けられた放熱部３と、この放熱部３に取り付けられた防水仕様の筒状のケース部２４と、このケース部２４に設けられて前記基板２に電気的に接続されるコンバータ６と、前記コンバータ６を交流電源に接続する接続ケーブル２５とを備え、
前記ＬＥＤランプ１は、前記基板２に固定されるパッケージ１ａと、このパッケージ１ａ内に装填されたＬＥＤチップ１ｂと、を備え、前記パッケージ１ａには、前記ＬＥＤチップ１ｂから放出される光を集光して拡散する拡散レンズ部１ｄが設けられており、
前記ケース部２４は、その長さが、前記放熱部３の長さと略等しく、かつＬＥＤ照明灯全体の長さの半分程度に設定されており、
前記ケース部２４の外周部には、当該ケース部２４の軸方向に沿って長尺に形成され、かつ前記ケース部２４の内部に設けられているコンバータ６で生じる熱を外部に放出する放出スリット２４ｃがケース部２４の周方向に所定間隔で複数設けられており、
前記多数のＬＥＤランプ１は、前記基板２に対し、当該基板２の中央部から周縁部にかけて三段階に分かれて放射状に、かつ円状および円環状を模るように集合して配置され、
三段階に分かれた多数のＬＥＤランプ１の集合体同士の間は、少なくとも一つのＬＥＤランプ１分の隙間を空けて配置されていることを特徴とする。
【００１１】
請求項２に記載の発明によれば、基板２に実装された多数のＬＥＤランプ１に、このＬＥＤランプ１から放出される光を拡散する拡散レンズ部１ｄが設けられているので、ＬＥＤ照明灯の消費電力増加や大型化を招くことなく広い範囲を照らすことができる。
また、多数のＬＥＤランプ１が実装された基板２が放熱部３に取り付けられているので、ＬＥＤランプ１で発生した熱を基板２を介して放熱部３から外部に効果的に放熱できる。
さらに、コンバータ６が設けられるケース部２４が防水仕様となっており、コンバータ６を接続ケーブル２５によって交流電源に接続するので、屋外で使用するのに適したものとなる。
また、コンバータ６で生じる熱は放出スリット２４ｃから放出されるので、ケース部２４内に熱が篭ることがなく、よって、コンバータ６の熱による劣化や故障を防止できる。
【００１２】
請求項３に記載の発明は。請求項２に記載のＬＥＤ照明灯において、前記ケース部に脚架が取り付けられていることを特徴とする。
【００１３】
請求項３に記載の発明によれば、ケース部に脚架が取り付けられているので、この脚架を取付対象物に取り付けることによって、ＬＥＤ照明灯を所望の取付対象物に容易に取り付けることができる。
【００１４】
請求項４に記載の発明は、請求項１〜３のいずれか一項に記載のＬＥＤ照明灯において、
前記放熱部３は、前記基板２が装着される台座部８と、この台座部８の周囲に、周方向に所定間隔で設けられた複数の放熱板９とを備えていることを特徴とする。
【００１５】
請求項４に記載の発明によれば、基板２を台座部８に安定的に装着できるとともに、この台座部８の周囲に、複数の放熱板９が周方向に所定間隔で設けられているので、ＬＥＤランプ１で発生した熱を基板２、台座部８を介して複数の放熱板９から外部により効果的に放熱できる。
【００１６】
請求項５に記載の発明は、請求項４に記載のＬＥＤ照明灯において
前記放熱部３の基端部にリング状のプレート１６が設けられ、このプレート１６に前記放熱板９の基端部が固定され、
前記台座部８に前記放熱板９の先端部が固定されていることを特徴とする。
【００１７】
請求項５に記載の発明によれば、放熱部３の基端部に設けられたプレート１６に放熱板９の基端部が固定され、台座部８に放熱板９の先端部が固定されているので、放熱板９を強固かつ安定的に取り付けることができる。
【発明の効果】
【００２０】
本発明によれば、基板に実装された多数のＬＥＤランプに、このＬＥＤランプから放出される光を拡散する拡散レンズ部が設けられているので、ＬＥＤ照明灯の消費電力増加や大型化を招くことなく広い範囲を照らすことができ、また、多数のＬＥＤランプが実装された基板が放熱部に取り付けられているので、ＬＥＤランプで発生した熱を基板を介して放熱部から外部に効果的に放熱できる。
【図面の簡単な説明】
【００２１】
【図１】本発明に係るＬＥＤ照明灯の一例を示すもので、ＬＥＤ照明灯の斜視図である。
【図２】同、側面図である。
【図３】同、正面図である。
【図４】同、背面図である。
【図５】同、分解斜視図である。
【図６】同、断面図である。
【図７】同、ＬＥＤランプの断面図である。
【図８】同、放熱板の斜視図である。
【図９】本発明に係るＬＥＤ照明灯の他の例を示すもので、ＬＥＤ照明灯の斜視図である。
【図１０】同、分解斜視図である。
【図１１】同、断面図である。
【図１２】同、ケース部を示すもので（ａ）は正面図、（ｂ）は（ａ）におけるＡ−Ａ線断面図、（ｃ）は平面図である。
【発明を実施するための形態】
【００２２】
以下、図面を参照して本発明に係るＬＥＤ照明灯の実施の形態について説明する。
（第１の実施の形態）
図１〜図８はＬＥＤ照明灯の第１の実施の形態を示す。
本実施の形態のＬＥＤ照明灯は、例えば工場等の建屋内や敷地等を照らすものであり、全長が３００ｍｍ〜４００ｍｍ、最大直径（先端部の直径）が２００ｍｍ〜３５０ミリ程度の大きさのものである。
このＬＥＤ照明灯は、多数のＬＥＤランプ１が実装された基板２と、この基板２が取り付けられた放熱部３と、この放熱部３に取り付けられた筒状のケース部４と、このケース部４に設けられて、交流電源のソケットに装着される口金部５と、前記ケース部４内に設けられて、前記口金部５と前記基板２に電気的に接続されたコンバータ（ＡＣ−ＤＣコンバータ）６とを備えている。
【００２３】
前記放熱部３は、前記基板２が装着される台座部８と、この台座部８の周囲に、周方向に所定間隔で設けられた多数の放熱板９・・・とを備えており、放熱板９・・・は全体として略半球を形成するように配置している。
台座部８は円板状の銅板で形成されており、この台座部８の外周部には、リング状の反射鏡１０が固定されている。この反射鏡１０の内周面は、外周側に向けて凸の鏡面となっている。反射鏡１０の前面部には、透明な樹脂で形成された円板状の保護蓋１１が設けられている。
前記放熱板９は、図８に示すように、アルミの薄板で形成されている。放熱板９は放熱板本体９ａと、この放射板９ａに一体的に折り曲げ形成された、第１折曲板９ｂ、第２折曲板９ｃ、第３折曲板９ｄとによって構成されている。
【００２４】
放熱板本体９ａは、円弧状の円弧縁９１ａと、この円弧縁９１ａの一端から当該円弧縁９１ａに対して略直角に延びる第１直線縁９１ｂと、この第１直線縁９１ｂの一端から当該第１直線縁９１ｂに対して略直角に延びる第２直線縁９１ｃと、この第２直線縁９１ｃの一端から当該第２直線縁９１ｃに対して略直角に延びる第３直線縁９１ｄと、この第３直線縁９１ｄの一端から当該第３直線縁９１ｄに対して略直角に延びる第４直線縁９１ｅと、この第４直線縁９１ｅの一端から当該第４直線縁９１ｅに対して略直角に延びる第５直線縁９１ｆと、この第５直線縁９１ｆの一端から当該第５直線縁９１ｆに対して略直角に延びる第６直線縁９１ｇと、この第６直線縁９１ｇの一端から当該第６直線縁９１ｇに対して略直角に延びる第７直線縁９１ｈと、この第７直線縁９１ｈの一端から当該第７直線縁９１ｈに対して略直角に延びる第８直線縁９１ｉと、この第８直線縁９１ｉの一端から当該第８直線縁９１ｉに対して略直角に前記円弧縁９１ａの他端まで延びる第９直線縁９１ｊとによって囲まれた薄板状に形成されている。
【００２５】
前記第１折曲板９ｂは前記第３直線縁９１ｄに沿って形成され、第４直線縁９１ｅに近付くにしたがって漸次幅狭に形成されている。第２折曲板９ｃは前記第７直線縁９１ｈに沿って形成され、第６直線縁９１ｇに近付くにしたがって漸次幅狭に形成されている。第３折曲板９ｄは前記第８直線縁９１ｉに沿って同幅に形成されている。
また、第１折曲板９ｂ、第２折曲板９ｃ、第３折曲板９ｄは、放熱板本体９ａに対して全て同方向に直角に折り曲げ形成されている。
【００２６】
上記のような放熱板９は、台座部８の周囲に周方向に一定間隔で多数配置されている。
すなわちまず、図１〜図４に示すように、多数の放熱板９・・・はＬＥＤ照明灯の軸に対して放射状に配置されている。
そして、図６に示すように、台座部８の外周面に、放熱板９の第２直線縁９１ｃの端部が当接され、台座部８の裏面外周部に、放熱板９の第３直線縁９１ｄが当接されるとともに、第１折曲板９ｂが当接されている。また、放熱板９の第１直線縁９１ｂは保護蓋１１の表面とほぼ面一になるように配置されている。
また、台座部８の裏面中央部には、リング１２ａ，１２ｂが同軸に固定されている。リング１２ｂはリング１２ａより大径でかつ厚さが薄くなっており、リング１２ａの外周部にはめ込まれている。
リング１２ａの外周部には放熱板９の第４直線縁９１ｅが当接され、リング１２ａの表面には放熱板９の第５直線縁９１ｆが当接されている。
リング１２ｂの外周部には放熱板９の第６直線縁９１ｇの端部が固定されている。
さらに、周方向に隣り合う放熱板９，９のうち、一方の放熱板９の第１折曲板９ｂは、他方の放熱板９の第３直線縁９１ｄに当接して、該第３直線縁９１ｄに固定されている。
このようにして、多数の放熱板９・・・の先端部は台座部８に固定されている。
【００２７】
また、周方向に隣り合う放熱板９，９のうち、一方の放熱板９の第２折曲板９ｃは、他方の放熱板９の第７直線縁９１ｈに当接または近接され、一方の放熱板９の第３折曲板９ｄは、他方の放熱板９の第８直線縁９１ｉに当接または近接されている。
したがって、放射状に配置された多数の放熱板９の内側には、放熱板９・・・の第６直線縁９１ｇ・・・によって囲まれた円筒状の空洞部１３が形成されるとともに、第３折曲板９ｄ・・・によって囲まれた円筒状の空洞部１４が形成されている。空洞部１３と空洞部１４とは同軸に配置されており、これら空洞部１３，１４の境界部には、多数の第２折曲板９ｃ・・・によって形成された段差部１５が設けられている。
【００２８】
また、放熱部３の基端部(図６では上端部)には、リング状のプレート１６が配置されている。このプレート１６はリング状の平面板１６ａと、この平面板１６ａの裏面に一体的に形成された円筒状の筒部１６ｂとから構成されている。
そして、放熱板９の第３折曲板９ｄの端部が筒部１６ｂの外周面に固定され、第９直線縁９１ｊが平面板１６ａの裏面に固定されている。
このようにして、多数の放熱板９・・・の基端部はプレート１６に固定されている。
【００２９】
前記プレート１６には、前記ケース部４の先端部が固定されている。ケース部４は円筒状に形成されており、その基端部（図６では上端部）は閉塞されている。ケース部４の先端部は若干外側に膨らんだ膨出部４ａとなっており、この膨出部４ａの先端部が前記プレート１６の外周部に嵌められたうえで、図示しないビスによって固定されている。
ケース部４の基端面（図６では上端面）の中央部には口金部５が設けられており、この口金部５は、ケース部４の内部に設けられているコンバータ６に電気的に接続されている。したがって、口金部５を交流電源のソケットに嵌め込むことによって、コンバータ６には交流が供給されるようになっている。
【００３０】
コンバータ６はケース部４の内部に挿入されているが、その端部はケース部４の先端部から突出して、前記放熱部３の空洞部１４に挿入されている。コンバータ６の端部には、ハット型のブラケット１８が係合しており、このブラケット１８の両端部は、ケース部４の膨出部４ａの内面に図示しないビスによって固定されている。これによって、コンバータ６はケース部４から外れて、放熱部３の空洞部１３に侵入できないようになっている。
また、ケース部４の外周部には、コンバータ６で生じる熱を外部に放出する放出スリット２０がケース部４の周方向に所定間隔で多数設けられている。また、放出スリット２０の端部はケース部４の膨出部４ａの一部まで達している。
【００３１】
前記コンバータ６とＬＥＤランプ１が実装された基板２とは電気コード２１によって電気的に接続されており、これによって、基板２に直流電流が供給され、さらに、この直流電流が全てのＬＥＤランプ１に供給されるようになっている。
ＬＥＤランプ１は、図７に示すように、基板２に固定された、熱伝導性に優れたセラミックで形成されたパッケージ１ａと、このパッケージ１ａ内に装填されたＬＥＤチップ１ｂと、このＬＥＤチップ１ｂをパッケージ１ａに封入するための透明な樹脂１ｃとから構成されており、パッケージ１ａには拡散レンズ部１ｄが被せられている。
【００３２】
パッケージ１ａには、ＬＥＤチップ１ｂを挿入するための断面台形状の凹所が形成されており、この凹所の底面にＬＥＤチップ１ｂが設置されている。そして、この凹所に透明な樹脂１ｃを充填することによって、ＬＥＤチップ１ｂがパッケージ１ａに封入されている。
また、パッケージ１ａの底面には、円板状または四角形板状の突出部１ｅが形成されており、この突出部１ｅは、基板２に形成された貫通孔に挿入されたうえで、銅板で形成された台座部８に当接されている。
前記拡散レンズ部１ｄは、ＬＥＤランプから放出される光を拡散する機能を有するレンズであり、表面が曲面状に形成された拡散レンズ本体１ｆと、この拡散レンズ本体１ｆの外周部に一体的に形成され、パッケージ１ａの外周部に外側から係合する係合部１ｇとから構成されている。係合部１ｇの底面には、パッケージ１ａの外周部に係合するような凹部が形成されており、この凹部をパッケージ１ａの外周部に外側から係合することによって、パッケージ１ａに拡散レンズ部１ｄが被せられている。
【００３３】
拡散レンズ部１ｄが設けられたＬＥＤランプ１は、図３に示すように、円板状の基板２の中央部から放射方向に所定間隔で、かつ、周方向に所定間隔で多数配置されている。
【００３４】
上記のような構成のＬＥＤ照明灯は、その口金部５を工場等の建屋内に設けられた交流電源のソケットに装着するとともに、建屋内の柱や梁あるいは専用に設けた支持部材に取り付けて使用される。
交流電源からの交流がコンバータ６によって直流に変換されたうえで、基板２に供給されることによって、多数のＬＥＤランプ１・・・が一斉に点灯する。ＬＥＤランプ１のＬＥＤチップ１ｂから放出された光は、拡散レンズ部１ｄの拡散レンズ本体１ｆに集光されたうえで拡散され、広い範囲を照らす。
【００３５】
また、ＬＥＤランプ１のＬＥＤチップ１ｂで発生した熱は、パッケージ１ａの突出部１ｅや基板２を介して銅板で形成された台座部８に伝わり、さらに、放熱部３を構成する多数の放熱板９・・・に伝わって、これら放熱板９から外部に放熱される。
【００３６】
本実施の形態のＬＥＤ照明灯によれば、基板２に実装された多数のＬＥＤランプ１に、このＬＥＤランプ１から放出される光を拡散する拡散レンズ部１ｄが設けられているので、ＬＥＤ照明灯の消費電力増加や大型化を招くことなく広い範囲を照らすことができる。
また、多数のＬＥＤランプ１が実装された基板２が放熱部３に取り付けられているので、ＬＥＤランプ１で発生した熱を基板２を介して放熱部３から外部に効果的に放熱できる。
また、放熱部３は、基板２が装着される銅板で形成された台座部８と、この台座部８の周囲に、周方向に所定間隔で設けられた多数の放熱板９とを備えているので、基板２を台座部８に安定的に装着できるとともに、ＬＥＤランプ１で発生した熱を基板２、台座部８を介して多数の放熱板９から外部により効果的に放熱できる。
【００３７】
さらに、放熱部３の基端部にリング状のプレート１６が設けられ、このプレート１６に放熱板９の基端部が固定され、台座部８に放熱板９の先端部が固定されているので、放熱板９を強固かつ安定的に取り付けることができる。
加えて、前記プレート１６にケース部４の先端部が固定されているので、ケース部４をプレート１６を介して多数の放熱板９を有する放熱部３に容易に取り付けることができる。また、ケース部４の基端部に口金部５が設けられているので、口金部５を放熱部３から最も離間させることができる。よって、口金部５が放熱部３から放出される熱によって悪影響を受け難い。
また、ケース部４の外周部に、放出スリット２１がケース部４の周方向に所定間隔で多数設けられているので、コンバータ６で生じる熱は放出スリット２１から放出される。したがって、ケース部４内に熱が篭ることがなく、よって、コンバータ６の熱による劣化や故障を防止できる。
【００３８】
（第２の実施の形態）
図９〜図１２はＬＥＤ照明灯の第２の実施の形態を示す。
本実施の形態が前記第１の実施の形態と異なる点は、コンバータ６が設けられるケース部の構成、脚架を設けた点等であるので、以下ではこの点について詳しく説明し、第１の実施の形態と共通部分には同一符号を付してその説明を省略ないし簡略化する。
【００３９】
本実施の形態のＬＥＤ照明灯は、多数のＬＥＤランプ１が実装された基板２と、この基板２が取り付けられた放熱部３と、この放熱部３に取り付けられた防水仕様の筒状のケース部２４と、このケース部２４に設けられて基板２に電気的に接続されるコンバータ６と、コンバータ６を交流電源に接続する接続ケーブル２５と、脚架２６とを備えている。基板２および放熱部３は、前記第１の実施の形態と同じ構成であるので、その説明を省略する。
【００４０】
ケース部２４は防水仕様となっており、図１０、図１１、図１２に示すように、大径円筒部２４ａと、この大径円筒部２４の端部に同軸に形成された小径円筒部２４ｂとから構成されている。この小径円筒部２４ｂの一方の端面は閉塞されている。
大径円筒部２４ａは小径円筒部２４ｂより長尺に形成されており、その外周部には軸方向に延在するスリット２４ｃが４つ周方向に所定間隔で形成されている。このスリット２４ｃはコンバータ６で生じる熱を外部に放出するためのものである。
また、小径円筒部２４ｂの他方の端部外周面には一対のブラケット２７，２７が径方向に対向して配置されている。ブラケット２７の一端部は大径円筒部２４ａの端部に固定されており、他端部にはねじ穴２７ａが形成され、小径円筒部２４ｂの外周部にはねじ穴２７ａと同軸に穴２７ｂが形成されている。
また、小径円筒部２４ｂの端部には小スリット２４ｄが周方向に所定間隔で複数形成され、小径円筒部２４ｂの端面中央部には接続ケーブル２５を通すための穴２４ｅが形成されている。
【００４１】
図１１に示すように、放熱部３の基端部(図１１では上端部)には、第１の実施の形態と同様に、リング状のプレート１６が配置されており、このプレート１６の外周部にケース部２４の大径円筒部２４ａの先端部が嵌められたうえで、図示しないビスによって固定されている。
ケース部２４の端面の穴２４ｅには円筒状のブッシュ２８が挿入固定され、このブッシュ２８には接続ケーブル２５が挿通され、この接続ケーブル２５がコンバータ６に電気的に接続されている。接続ケーブル２５は図示しない交流電源に接続されるようになっている。これによって、コンバータ６には交流が供給されるようになっている。
コンバータ６はケース部２４の内部に挿入されているが、その端部はケース部２４の先端部から突出して、前記放熱部３の空洞部１４に挿入されている。コンバータ６の端部には、ハット型のブラケット１８が係合しており、このブラケット１８の両端部は、ケース部２４の大径円筒部２４ａの内面に図示しないビスによって固定されている。これによって、コンバータ６はケース部２４から外れて、放熱部３の空洞部１３に侵入できないようになっている。
【００４２】
図９および図１０に示すように、ケース部２４には以下のようにして脚架２６が取り付けられている。
すなわちまず、脚架２６は固定板３０とこの固定板３０の両端部に形成された支持板３１，３１とからなる略コ字型に形成されている。
固定板３０には固定穴３０ａが所定間隔で複数形成されている。また、支持板３１の先端部には穴３１ａが形成されている。
一方、ケース部２４の小径円筒部２７ｂに設けられたブラケット２７，２７を挟むようにして脚架２６の支持板３１，３１が、その穴３１ａ，３１ａをブラケット２７，２７のねじ穴２７ａ，２７ａに同軸になるように配置されている。
そして、穴３１ａ，３１ａにボルト３２，３２を挿通し、このボルト３２，３２をねじ穴２７ａ，２７ａにねじ込むことによって、支持板３１，３１がブラケット２７，２７に取り付けられている。
【００４３】
このような脚架２６はその固定板３０を、床、台、壁等に取付対象物に当接したうえで、固定穴３０ａに図示しない固定ボルトを挿通して、この固定ボルトを床、台、壁等の取付対象物に設けられたねじ穴、ナット等に螺合して締め付けることによって、取付対象物に取り付けられるようになっている。
また、ボルト３２，３２を緩めることによって、ケース部２４がボルト３２，３２を軸として首振り可能となっている。これによって、ＬＥＤ照明灯の首振り角度を調整可能となっている。
【００４４】
本実施の形態によれば、第１の実施の形態と同様の効果を得ることができる他、以下のような効果を得ることができる。
コンバータ６が設けられるケース部２４が防水仕様となっており、コンバータ２４を接続ケーブル２５によって交流電源に接続するので、屋外で使用するのに適したものとなる。
また、ケース部２４に脚架２６が取り付けられているので、この脚架２６を床、台、壁等の取付対象物に取り付けることによって、ＬＥＤ照明灯を所望の取付対象物に容易に取り付けることができる。
【００４５】
なお、本実施の形態では、放熱部３を構成する放熱板９・・・を全体として略半球を形成するように配置したが、これに代えて、全体として略円錐状、半楕円球状等に配置してみよい。
また、多数の放熱板９の先端部を補強するために、放熱板９の先端部を繋ぐようなリング状補強材を取り付けてもよい。
【符号の説明】
【００４６】
１  ＬＥＤランプ
１ｄ  拡散レンズ部
２  基板
３  放熱部
４，２４  ケース部
５  口金部
６  コンバータ
８  台座部
９  放熱板
１６  プレート
２０  放出スリット
２６  接続ケーブル
２６  脚架
【図１】
0005558273.tif 000002
【図２】
0005558273.tif 000003
【図３】
0005558273.tif 000004
【図４】
0005558273.tif 000005
【図５】
0005558273.tif 000006
【図６】
0005558273.tif 000007
【図７】
0005558273.tif 000008
【図８】
0005558273.tif 000009
【図９】
0005558273.tif 000010
【図１０】
0005558273.tif 000011
【図１１】
0005558273.tif 000012
【図１２】
0005558273.tif 000013